(57)【要約】【課題】蓋体を筐体本体に吊下げ可能であって、蓋体を吊下げた状態で作業者の手などが蓋体に当たっても蓋体が落下しない筐体を有する火災報知設備用機器としての火災受信機を得る。【解決手段】本発明に係る火災受信機１の筺体本体５は下辺部に下側係止部１３を有し、蓋体７は上辺部に設けられて、下側係止部１３に係止して蓋体７を筐体本体５の下辺に吊下げ可能にする上側係止片部１５を備え、筺体本体５は、蓋体７を筺体本体５の下辺部に吊り下げた状態において、蓋体７が上方に移動するのを規制する移動規制部（バッテリー保持アーム１３）を有していることを特徴とするものである。【選択図】  図１
2014119820.tif 000002
【特許請求の範囲】
【請求項１】
前面側が開口した有底枠体からなる筐体本体と、前記筐体本体の前記開口を前面側から覆うと共に取り外し可能な蓋体とを備えた火災報知設備用機器であって、
前記筺体本体は、下辺部に下側係止部を有し、
前記蓋体は、上辺部に設けられて、前記下側係止部に係止して前記蓋体を前記筐体本体の下辺に吊下げ可能にする上側係止片部を備え、
前記筺体本体は、前記蓋体を前記筺体本体の下辺部に吊り下げた状態において、前記蓋体が上方に移動するのを規制する移動規制部を有していることを特徴とする火災報知設備用機器。
【請求項２】
前記筐体本体は、上辺部に設けられて、上側が開口する上側係止穴を有する上側係止部を有し、
前記蓋体を前記筐体本体の前記開口を前面側から覆うように配置したときに、前記蓋体に設けた前記上側係止片部が、前記筺体本体の前記上側係止穴に係止して、前記蓋体を前記筺体本体に仮止め可能になっていることを特徴とする請求項１記載の火災報知設備用機器。
【請求項３】
前記蓋体は有底枠体からなり、
前記上側係止片部は、前記蓋体における上枠縁部から下方に延出する延出部を有し、該延出部における蓋体内面側に基端側から先端側にかけて高低差が形成されてなり、該高低差は基端側が高く、先端側が低く設定されていることを特徴とする請求項２記載の火災報知設備用機器。
【請求項４】
前記蓋体の下辺部に下側係止凸片部を有し、前記筺体本体の下側係止部の下面側には、前記蓋体を前記筺体本体の開口を覆うように前記筺体本体に被せたときに前記下側係止凸片部が係止する下側係止穴が設けられていることを特徴とする請求項１乃至３のいずれか一項に記載の火災報知設備用機器。
【発明の詳細な説明】
【技術分野】
【０００１】
本発明は、前面側が開口した有底枠体からなる筐体本体と、前記筐体本体の前記開口を前面側から覆うと共に取り外し可能な蓋体とを備えた火災報知設備用機器に関する。
火災報知設備用機器のとしては、例えば火災受信機、防排煙機器を動作させる操作盤等を含む。
【背景技術】
【０００２】
火災報知設備用機器の一例としての火災受信機の筐体は、有底枠体からなり壁面に設置されて基板やコード類等を格納する筐体本体と、筐体本体の開口部を覆う蓋体を構成要素としているのが一般的である。
このような筺体本体と蓋体を構成要素としているものにおいて、筺体本体に蓋体を取り付ける取り付け方法としては、例えば、筐体本体と蓋体とを蝶番で接続して開閉可能にした蝶番式のものや、特許文献１に開示される電気機器収納用箱体のように蓋体を筺体本体にスライド可能に取り付けたスライド式のものがある。
【０００３】
蝶番式のものは、筐体本体に対する蓋体の開閉方向が決められるため、蓋体の開閉側に障害物がある場所には設置しづらく、火災受信機の設置場所が制限されるという問題がある。
この点、特許文献１の電気機器収納用箱体は、筐体本体から蓋体のスライド方向が２方向あるので、蝶番式のものよりも設置位置の制限は少ないと言える。
また、特許文献１の電気機器収納用箱体は、筐体本体から取り外した蓋体を筐体本体の下辺に吊下げ可能にしている。そのため、取り外した蓋体を地面等に置かなくてもよく、この点では蝶番式と同様に設置時や点検時の作業性に優れていると言える。
【先行技術文献】
【特許文献】
【０００４】
【特許文献１】実開平５−６７１０８
【発明の概要】
【発明が解決しようとする課題】
【０００５】
しかし、特許文献１の電気機器収納用箱体は、蓋体を吊下げている状態で、配線作業等の作業を行っているときに、作業者の手などが誤って蓋体に当たると、蓋体が外れて落下してしまうことがある。作業中に蓋体が落下すると蓋体が破損する虞もあり、作業に支障がでるし、蓋体の落下を気にして作業を行うのでは作業性を円滑に行うことができず、いずれにしても作業性が悪いという問題がある。
また、火災受信機は収納するコード類が多くて筐体本体に収まりにくい場合がある。このような場合、コード類を押さえつけながら蓋を閉める必要があるが、特許文献１のようなスライド方式の蓋体では、例えば一方の手でコード類を押さえつけながら、他方の手で蓋体をスライドさせなければならないため、作業性が悪いという問題もある。
また、火災受信機を平坦でない壁面に設置すると、壁面の凹凸によって筐体本体が撓む場合がある。このような場合、特許文献１のようなスライド方式では、蓋体をスライドできず蓋を閉められないという問題もある。
また、特許文献１のようなスライド方式では、左右に蓋体をスライドさせて取り外すため、筐体の左右に他の物を設置することができないという問題もある。
【０００６】
本発明は、上記のような問題を解決するためになされたものであり、筺体本体と蓋体とを構成要素としている火災報知設備用機器であって、蓋体を外した状態で配線作業等の作業性に優れる火災報知設備用機器を得ることを目的とする。
【課題を解決するための手段】
【０００７】
（１）本発明に係る火災報知設備用機器は、前面側が開口した有底枠体からなる筐体本体と、前記筐体本体の前記開口を前面側から覆うと共に取り外し可能な蓋体とを備えた火災報知設備用機器であって、
前記筺体本体は、下辺部に下側係止部を有し、
前記蓋体は、上辺部に設けられて、前記下側係止部に係止して前記蓋体を前記筐体本体の下辺に吊下げ可能にする上側係止片部を備え、
前記筺体本体は、前記蓋体を前記筺体本体の下辺部に吊り下げた状態において、前記蓋体が上方に移動するのを規制する移動規制部を有していることを特徴とするものである。
【０００８】
（２）また、上記（１）に記載のものにおいて、前記筐体本体は、上辺部に設けられて、上側が開口する上側係止穴を有する上側係止部を有し、
前記蓋体を前記筐体本体の前記開口を前面側から覆うように配置したときに、前記蓋体に設けた前記上側係止片部が、前記筺体本体の前記上側係止穴に係止して、前記蓋体を前記筺体本体に仮止め可能になっていることを特徴とするものである。
【０００９】
（３）また、上記（２）に記載のものにおいて、前記蓋体は有底枠体からなり、
前記上側係止片部は、前記蓋体における上枠縁部から下方に延出する延出部を有し、該延出部における蓋体内面側に基端側から先端側にかけて高低差が形成されてなり、該高低差は基端側が高く、先端側が低く設定されていることを特徴とするものである。
【００１０】
（４）また、上記（１）乃至（３）のいずれかに記載のものにおいて、前記蓋体の下辺部に下側係止凸片部を有し、前記筺体本体の下辺部に形成された下側係止部の下面側には、前記蓋体を前記筺体本体の開口を覆うように前記筺体本体に被せたときに前記下側係止凸片部が係止する下側係止穴が設けられていることを特徴とするものである。
【発明の効果】
【００１１】
本発明においては、蓋体を筺体本体の下辺部に吊り下げた状態において、蓋体が上方に移動するのを規制する移動規制部を有していることにより、蓋体を吊下げた状態で作業者の手などが蓋体に当たっても蓋体の落下を防止することができ、蓋体の落下を気にせずに作業ができ、作業性に優れる。
また、上側係止片部の延出部は基端部から先端部にかけて段部が形成されており、該段部は、蓋体を筺体本体に被せた状態において、延出部の基端部側が高く、先端側が低く設定されているため、筐体本体が撓んでいても蓋体を閉じることができ、この意味でも作業性に優れる。
【図面の簡単な説明】
【００１２】
【図１】本発明の実施の形態に係る火災受信機の筐体（筐体本体と蓋体）の斜視図である。
【図２】本発明の実施の形態に係る火災受信機の筐体本体の斜視図である。
【図３】本発明の実施の形態に係る火災受信機の蓋体の正面図である。
【図４】本発明の実施の形態に係る火災受信機の筐体本体の一部を拡大して図示したものである。
【図５】図４の筐体本体の一部の立断面図である。
【図６】図３における断面Ａで切断した蓋体の図３中右側の部分を、図３中の矢印Ｂの方向から見た状態の図である。
【図７】図３における断面Ａで切断した蓋体の図３中右側の部分を、図３中の矢印Ｃの方向から見た状態の図である。
【図８】図３におけるＤ−Ｄ矢視断面図である。矢視断面図である。
【図９】図１における断面Ｅで切断した筐体の図１中左側の部分を、断面Ｅに直交する方向から見た状態の図である。
【図１０】図９の一部を拡大して図示したものである。
【図１１】本発明の実施の形態に係る火災受信機の筐体の動作説明をする説明図であって、図９に示した状態から筐体を開いている途中の状態を図示したものである。
【図１２】本発明の実施の形態に係る火災受信機の筐体の動作説明をする説明図であって、筐体を開いている途中の状態を比較例と比較しながら説明するための説明図である。
【図１３】本発明の実施の形態に係る火災受信機の蓋体を筐体本体に吊下げている状態の斜視図である。
【図１４】図１３に示す吊下げられた蓋体の取外し方法について説明する説明図である。
【図１５】本発明の実施の形態に係る火災受信機の蓋体の吊下げ構造の効果について説明するための説明図であって、比較例について説明する説明図である。
【図１６】本発明の実施の形態に係る火災受信機の筐体の壁面への設置状態を説明する説明図であって、筐体を上方から見た状態の図である。
【図１７】図１６（ｂ）の状態における筐体本体と蓋体との係止状態を説明する説明図である。
【発明を実施するための形態】
【００１３】
以下の実施の形態においては、火災報知設備用機器の一例として火災受信機を例に挙げて説明する。
本発明の一実施の形態に係る火災受信機１の筐体３は、図１に示すように、扁平した箱からなり、壁面に取り付けられる筐体本体５と、筐体本体５の開口部を前面側から覆うと共に取り外し可能な蓋体７とを有している。図１は蓋体７を筺体本体５の開口を覆うように筺体本体５に被せて、筐体本体５の開口部が蓋体７で覆われた状態の筐体３を示している。なお、以下の説明において、この状態の筐体３を、閉じた状態の筐体３という。
図２は、図１の筐体３から蓋体７を取り外して筐体本体５のみの状態を図示したものである。図２には、筐体本体５が空の状態を示しているが、組立時には筐体本体５の中には基板、電池やコード等が格納される。
筐体本体５と蓋体７について以下に図１〜図８に基づいて詳細に説明する。
【００１４】
＜筐体本体＞
筐体本体５は、図２に示すように、前面側に開口している開口部を有する浅底の有底枠体からなる。筐体本体５は底面（開口部に対向する面）を壁面と接するようにして取り付けられた後、蓋体７で筐体本体５の開口部が覆われる。
筐体本体５には、蓋体７を係止するための係止部として、筐体本体５の上側の枠部（上辺部）の内壁面に枠部の縁よりも突出する小片からなる上側係止部９（図２の図中上側の丸で囲んだ部分を参照）と、筐体本体５の下側の枠部（下辺部）の内壁面に枠部の縁よりも突出する小片からなる下側係止部１１（図２の図中下側の丸で囲んだ部分を参照）が設けられている。
【００１５】
図４（ａ）に上側係止部９を、図４（ｂ）に下側係止部１１の拡大図を示す。また、図５（ａ）に上側係止部９の幅方向中心を通る立断面図を、図５（ｂ）に下側係止部１１の幅方向中心を通る立断面図を示す。
上側係止部９は、中空になっており、図４（ａ）および図５（ａ）に示す通り、上側係止部９の上面側が切り欠かれて開口することにより上側係止穴９ａが形成されている。
下側係止部１１も上側係止部９と同様に中空になっており、図４（ｂ）および図５（ｂ）に示す通り、下側係止部１１の上面側が切り欠かれることにより上側係止穴１１ａが形成され、同様に下面側が切り欠かれることにより下側係止穴１１ｂが形成されている。
【００１６】
上側係止部９と下側係止部１１は、図２に示すように、各枠部に左右一対設けられている。また、上側係止部９と下側係止部１１は、筐体本体５における縦方向位置が一致するように設けられている。
【００１７】
筐体本体５の下側には、図２に示すように、筐体本体５の底面から開口側に突出する２本の棒状からなり、該棒の上面側で図示しないバッテリーを保持するためのバッテリー保持アーム１３が２本設けられている。バッテリー保持アーム１３は、正面視で、例えば筐体本体５の右側に偏った位置に設けられている。
【００１８】
＜蓋体＞
蓋体７は、図１および図６〜図８に示すように、浅底の有底枠体からなる。
蓋体７には筐体本体５に係止するために、蓋体７の上側に上側係止片部１５（図６中丸で囲んだ部分の拡大図、および図８中の上側の丸で囲んだ部分の拡大図を参照）と、蓋体７の下側に下側係止凸片部１７（図７中丸で囲んだ部分の拡大図、および図８中の下側の丸で囲んだ部分の拡大図を参照）とが設けられている。
【００１９】
上側係止片部１５は、図６および図８に示すように、蓋体７の上側における枠部（上辺部）の縁から下方に延出する平板状からなる平板部１９と、平板部１９における内面側（蓋体７の内面側）に立設された複数のリブ２１によって構成されている。平板部１９とリブ２１が本発明の延出部に相当する。このような上側係止片部１５を筐体本体５の下側係止部１１に係止することにより、蓋体７を筐体本体５の下辺に吊下げ可能にしている。ここで、蓋体７の内面側とは、図８に示すように、有底枠体状の蓋体７における底面７ａ側をいう。なお、リブ２１は、枠部および平板部１９と一体に形成されている。
【００２０】
リブ２１は基端部から先端部にかけて段形状になっており、該段形状は、基端部側が蓋体７の内面側に出っ張るように形成されている。すなわち、図６および図８に示すように、リブ２１の先端部側の段部（第２段部２１ｂ）は、リブ２１の基端部側の段部（第１段部２１ａ）よりも、平板部１９からの高さが低くなっている。第１段部２１ａと第２段部２１ｂが本発明の高低差に相当する。
第１段部２１ａと第２段部２１ｂの境界部分は傾斜面になっている。
【００２１】
上側係止片部１５は、２箇所あり、筐体本体５の各上側係止部９に対応する位置に設けられている。上側係止片部１５の横幅は、上側係止部９の上側係止穴９ａおよび、下側係止部１１の上側係止穴１１ａに挿入可能な大きさに設定されている。すなわち、上側係止片部１５の横幅は、上側係止部９の上側係止穴９ａまたは下側係止部１１の上側係止穴１１ａの内径の横幅のうち、いずれか小さい方の横幅と同等か、それより小さくなっている。
そのため、蓋体７の上側係止片部１５を、筐体本体５の上側係止部９の上側係止穴９ａに挿入して係止させることで、筐体本体５の開口部を蓋体７で覆う（筐体３を閉じる）ことができる。また、上側係止片部１５を下側係止部１１の上側係止穴１１ａに挿入すれば、蓋体７を筐体本体５の下辺部に吊下げることができる。
以上のように、上側係止片部１５は、筐体３を閉じるための係止部としての役割、および蓋体７を吊下げるための係止部としての役割の両方の役割を兼用している。
【００２２】
平板部１９の先端から蓋体７の上側の枠部の上面までの長さＬ1（＝平板部１９の延出長さ＋蓋体７の上側の枠部の板厚、図８参照）は、筐体本体５の下側係止部１１の上側係止穴１１ａとバッテリー保持アーム１３の下面との間の長さＬ2（図１０（ｂ）参照）よりも若干短く設定されている。そのため、上側係止片部１５は、上側係止穴１１ａとバッテリー保持アーム１３との間を通過して、上側係止穴１１ａに挿入することができる。
【００２３】
下側係止凸片部１７は、図７および図８に示すように、蓋体７の下側の枠部（下辺部）から上方に突出する複数の凸片部からなる。
下側係止凸片部１７は、下側係止部１１と同数、本発明の実施の形態では２箇所あり、筐体本体５の各下側係止部１１に対応する位置に設けられている。下側係止凸片部１７の大きさは、下側係止部１１の下側係止穴１１ｂの大きさと同じか、それよりわずかに小さくなっており、下側係止凸片部１７が下側係止穴１１ｂに挿入可能な大きさに設定されている。そのため、蓋体７で筐体本体５の開口を前面側から覆うと、下側係止凸片部１７は下側係止部１１の下側係止穴１１ｂに挿入されて係止され、蓋体７が筐体本体５に仮止めされるようになっている。
また、下側係止凸片部１７は、両面が面取りされており、略三角形の形状をしている。このため、両面面取りしていない場合と比べて、下側係止凸片部１７が下側係止部１１の下側係止穴１１ｂに係止しやすく、また取り外すときにも取り外しやすくなっている。
【００２４】
以上のように構成された筐体３の使用状態（筐体３を閉じた状態、筐体３を開いている途中の状態、蓋体７を筐体本体５に吊下げた状態、筐体３を閉じた状態の他の態様）について、以下に図９〜図１７に基づいて説明する。
筐体３の閉じた状態について図９と図１０に基づいて説明する。図９中の上側の丸で囲んだ部分の拡大図を図１０（ａ）に、図９中の下側の丸で囲んだ部分の一部を拡大したものを図１０（ｂ）に示す。
筐体３を閉じた状態において、筐体３の上側では、図１０（ａ）に示す通り、筐体本体５の上側係止部９の上側係止穴９ａに蓋体７の上側係止片部１５が挿入されて、上側係止部９と上側係止片部１５の第１段部２１ａとで係止している。
【００２５】
他方、筐体３の下側では、図１０（ｂ）に示す通り、筐体本体５の下側係止部１１の下側係止穴１１ｂに、蓋体７の下側係止凸片部１７の先端が挿入されて係止している。
このように、閉じた状態の筐体３において筐体本体５と蓋体７は、上側と下側とで係止している。
【００２６】
閉じた状態から筐体３（図９および図１０を参照）を開く場合は、蓋体７の下側を設置時正面視で奥から手前の方向（図１１中の矢印の方向）に引く。こうすることで、下側係止凸片部１７が下側係止部１１の下側係止穴１１ｂの縁を乗り越えて係止状態が解除されるとともに、上側係止部９と上側係止片部１５とが係止している箇所を中心に蓋体７が回動して開く（図１１参照）。
【００２７】
蓋体７の回動する角度は、上側係止片部１５のリブ２１が上側係止部９に当接することによって規制される。
仮に、リブ２１に段部が形成されていない場合、図１２（ａ）に示すようにリブ２１の先端の角が上側係止部９に当接することによって、蓋体７はα0°しか回動しない。
これに対して、本実施の形態に係る蓋体７は、リブ２１の先端側の高さが低くなるように段部が形成されている（第２段部２１ｂが設けられている）ため、図１２（ｂ）に示すように蓋体７を図１２（ａ）の場合よりも大きな角度であるα1°回動させることができる。
【００２８】
また、リブ２１に段部が形成されていない場合においては、蓋体７を大きく回動可能にするためには、上側係止片部１５の長さを短くしなければならず、この場合、蓋体７が外れやすくなる。この点、本実施の形態に係る蓋体７はリブ２１に段部を形成したため、上側係止片部１５の長さを長くでき、蓋体７が筐体本体５から外れにくくなっており、かつ蓋体７の回動角度を大きくできるのである。
【００２９】
蓋体７を回動させた状態（図１１参照）で蓋体７を持ち上げて、筐体本体５の上側係止部９と蓋体７の上側係止片部１５との係止を解除すれば、筐体本体５から蓋体７を取り外すことができる。
取り外した状態で、蓋体７の上側係止片部１５を、筐体本体５の下側係止部１１の上側係止穴１１ａに上方から挿入して係止させることで、図１３に示すように、蓋体７を筐体本体５の下側に吊下げることができる。そのため、筐体本体５への作業を行う場合、取り外した蓋体７を地面等に置かなくてもよく、作業性に優れ、また蓋体７が汚れたり傷がついたり、紛失するようなこともない。
【００３０】
蓋体７が筐体本体５に吊下げられている状態における、下側係止部１１の幅方向中心を通る立断面を図１４（ａ）に示す。
吊下げられた状態から蓋体７を取外すには、図１４（ａ）中の矢印に示すように、蓋体７を垂直方向上側に持ち上げて、筐体本体５の開口側（図１４（ｂ）中の矢印を参照）に引き出すことで行う。
【００３１】
蓋体７が吊下げられた状態において、作業者の手等が蓋体７に誤って当ったとしても蓋体７がある程度持ち上がることで、筐体本体５の下側係止部１１と蓋体７の上側係止片部１５との係止状態が一時的に解除される場合がある。この場合、蓋体７が持ち上がった分だけ垂直に下降すれば上側係止片部１５が下側係止部１１の上側係止穴１１ａに挿入されて、再び係止状態になる。
なお、上述したとおり、リブ２１は第１段部２１ａと第２段部２１ｂと境界部分に傾斜面を有している（図８のリブ２１の拡大図参照）ため、蓋体７が垂直に下降する場合ときに、前記傾斜面によって蓋体７がガイドされることで係止状態に戻りやすくなっている。
【００３２】
仮に、上側係止片部１５の平板部１９の延出長さが短くて、図１５（ａ）に示すように、下側係止部１１の上側係止穴１１ａとバッテリー保持アーム１３の下面との間の長さＬ2（図１０参照）に対して、平板部１９の先端から蓋体７の上側の枠部の上面までの長さＬ1（図８参照）が短すぎる場合、蓋体７の上枠がバッテリー保持アーム１３の下面に当たるまで大きく持ち上がることができる。
この場合、再び係止状態になるには、蓋体７は長い距離を垂直に下降しなければならない。そのため、蓋体７が持ち上がった状態から少しでも筐体本体５の開口側に移動すると、上側係止片部１５は下側係止部１１の上側係止穴１１ａに挿入されず、蓋体７は外れてしまう（図１５（ｂ）参照）。
【００３３】
この点、上側係止片部１５の平板部１９の先端から蓋体７の上側の枠部の上面までの長さＬ1は、上述したとおり、筐体本体５の下側係止部１１の上側係止穴１１ａとバッテリー保持アーム１３の下面との間の長さＬ2よりもわずかに短い長さに設定されているため、蓋体７に作業者の手等が当たって持ち上がったとしても、蓋体７の上枠がバッテリー保持アーム１３の下面に当たり、その後、少しでも蓋体７が垂直方向に下降すれば、上側係止片部１５が上側係止穴１１ａに係止できるようになっている。
この意味で、Ｌ1とＬ2の差は０．５ｍｍ〜３．０ｍｍに設定するのが好ましい。
【００３４】
すなわち、バッテリー保持アーム１３は、蓋体７を筺体本体５に吊り下げた状態において、蓋体７が上方に移動するのを規制する移動規制部としての役割を担っている。
このように、蓋体７が持ち上がったとしても上側係止片部１５の先端部と上側係止穴１１ａとの距離はわずかであり、この距離だけ垂直に下降できれば、上側係止片部１５が下側係止部１１の上側係止穴１１ａに挿入されて、再び係止状態になることができる。従って、蓋体７は筐体本体５に吊下げた状態から蓋体７が外れて落下しにくい。
また、上側係止片部１５の先端部が細くなっているため、蓋体７が持ち上がったときに、多少前後にずれたとしても、再び係止状態に戻りやすくなっている。
【００３５】
作業が終われば、吊下げ状態の蓋体７を外して、筐体３を閉じる。筐体３を閉じるには、筐体本体５の上側係止部９と蓋体７の上側係止片部１５とを係止させて、蓋体７の下側を筐体本体５側に押し込むと、下側係止凸片部１７が下側係止部１１の下側係止穴１１ｂを乗り越えて係止状態になり、蓋体７が仮止め筐体本体５に仮止めされる。なお、筐体３を閉じた後、筐体本体５と蓋体７とをねじ留めによって固定する。
以上のように、下側係止部１１は、蓋体７を吊下げるための係止部としての役割、および筐体３を閉じるための係止部としての役割の両方の役割を兼用している。
【００３６】
上述したとおり、上側係止部９と上側係止片部１５とを係止させた状態で蓋体７を大きく回動させることができる（図１２（ｂ）参照）。このことは筐体３を閉じる際に作業性向上に効果がある。この点について以下に説明する。
例えば、筐体本体５にコード類が多く格納されている場合、筐体３を閉じようとすると、コード類によって蓋体７が押し返されて閉じにくいことがある。
【００３７】
このような場合、蓋体７があまり回動できないと、コード類を押さえつけながら上側係止部９と上側係止片部１５との係止をさせなければならず、作業性が悪くなる。
この点、本実施の形態の筐体３は、蓋体７を大きく回動させたまま上側係止部９と上側係止片部１５とを係止させることができるため、先に上側係止部９と上側係止片部１５とを係止させた後、蓋体７の下側を押さえることでコード類を押さえつけるようにして筐体３を閉じるという２段階に分けて作業を行うことができる。それ故、筐体３を閉じるのが容易であり、作業性に優れる。
【００３８】
また、蓋体７を大きく回動できないと、蓋体７を外す際に、筐体本体５と蓋体７とが近接したまま蓋体７を持ち上げなければならず、そうすると蓋体７が筐体本体５内の内蔵物に当たることがあり、蓋体７又は内蔵物の破損に繋がる虞もある。
この点、本実施の形態の筐体３は、蓋体７を大きく回動することができるので、筐体本体５から蓋体７が大きく離れた状態で蓋体７を持ち上げることができ、内蔵物等が破損する虞がない。また、このように蓋体７が内蔵物に当たらないので、蓋体７の回動可能角度が小さい場合に比べて、筐体３を小型化することができる。
【００３９】
次に、筐体本体５が凸部のある壁面などに設置される場合、筐体本体５が撓むため、これが蓋体３の仮止め状態に影響を与えることがあるので、この点について以下に説明をする。
筐体本体５が平坦な壁面Ｗに設置されている場合（図１６（ａ）参照）は、蓋体７はぴったりと筐体本体５の開口部を覆うことができるため、筐体３を閉じることに特に問題はない。
【００４０】
しかし、例えば図１６（ｂ）に示すように、筐体本体５が凸部３１を有しているような壁面Ｗに設置されている場合、筐体本体５が凸部３１によって撓んだ状態になることがある。このような場合、特許文献１のようなスライド式では、蓋体をスライドできずに閉めることができない。
この点、本実施の形態に係る筐体３は、上記のような場合でも、筐体３を閉じることができる。このことについて図１０および図１６に基づいて説明する。
【００４１】
筐体本体５と蓋体７との間に隙間がない場合（図１６（ａ）参照）は、上述したとおり、図１０（ａ）に示すように筐体本体５の上側係止部９と蓋体７の上側係止片部１５の第１段部２１ａとが当接することで係止している。
【００４２】
他方、筐体本体５と蓋体７との間に隙間Ｓがある場合（図１６（ｂ）参照）、筐体本体５の上側係止部９と蓋体７の上側係止片部１５の位置が離れることになるが、このような場合には、図１７に示すように、筐体本体５の上側係止部９と蓋体７の上側係止片部１５の第２段部２１ｂとが当接することで係止可能になっている。
従って筐体本体５が平坦でない壁面Ｗに設置されているような場合でも、筐体３を閉じることができる。
【００４３】
以上のように、本実施の形態においては、蓋体７が筺体本体５の下側係止部１１に吊り下げられた状態において、バッテリー保持アーム１３が蓋体７の上方への移動規制部としての役割を担っていることにより、蓋体７を吊下げた状態で作業者の手などが蓋体７に当たって蓋体７が上方へ大きく移動することがない。それ故、一旦吊下げ状態の蓋体７の係止が解除されても、容易に吊下げ状態に戻ることができる。従って、吊下げ状態の蓋体７の落下を防止することができる。
【００４４】
また、上側係止片部１５のリブ２１は、基端部から先端部にかけて段部（第１段部２１ａ、第２段部２１ｂ）が形成されており、該段部は筺体３を閉じた状態において、リブ２１の基端部側が高く、先端側が低く設定されているため、筐体本体５が撓んでいても、蓋体７は第２段部２１ｂによって筐体本体５に係止することができる。従って、筐体本体５が撓んでいても、筐体３を閉じることができる。
【００４５】
なお上記では、延出部は平板部１９とリブ２１とで構成されている例を説明したが、延出部の構成はこれに限られない。例えば、平板状の部位を設けることなく、延出部全体が段形状になるようにしてもよい。
【００４６】
また、上側係止片部１５に第１段部２１ａと第２段部２１ｂが形成される例を説明したが、段部を設ける部材は上側係止片部１５に限られず、例えば、上側係止片部１５が係止される上側係止部９の開口縁部や下側係止部１１の開口縁部に設けても良い。
【００４７】
また、上記の説明では本発明の高低差に相当するものとして、上側係止片部１５のリブ２１に基端部から先端部にかけて段部（第１段部２１ａ、第２段部２１ｂ）が形成されている例を説明したが、本発明の高低差は段形状以外であってもよい。例えば、リブ２１における蓋体７内面側において、基端側から先端側にかけて低くなるように傾斜する傾斜面を設けるようにしてもよい。こうすることで、筐体５を閉じる際に、筐体本体５の上側係止部９と蓋体７のリブ２１とが無段階に当接可能である。
【００４８】
なお、上記の説明では、上側係止部９の上側係止穴９ａと下側係止部１１の上側係止穴１１ａの大きさの関係については規定していなかったが、下側係止部１１の上側係止穴１１ａを上側係止部９の上側係止穴９ａよりも大きく設定してもよい。この場合、上側係止片部１５の横幅は、上側係止部９の上側係止穴９ａの横幅と同等か、それより小さく設定する。
こうすることによって、上側係止片部１５を下側係止部１１の上側係止穴１１ａに係止させる場合は、上側係止片部１５の大きさに対して上側係止穴１１ａが広いため係止が容易であり、それ故、蓋体７を容易に筐体本体５に吊下げることができる。
他方、上側係止片部１５を上側係止部９の上側係止穴９ａに係止させる場合は、筐体本体５に対する蓋体７の位置決めを正確に行うことができ、仮止めの精度を高くすることができる。それ故、筐体本体５と蓋体７とをねじ留めする際に作業性に優れる。
【符号の説明】
【００４９】
Ｗ  壁面
Ｓ  隙間
１  火災受信機
３  筐体
５  筐体本体
７  蓋体
７ａ  底面
９  上側係止部
９ａ  上側係止穴
１１  下側係止部
１１ａ  上側係止穴
１１ｂ  下側係止穴
１３  バッテリー保持アーム
１５  上側係止片部
１７  下側係止凸片部
１９  平板部
２１  リブ
２１ａ  第１段部
２１ｂ  第２段部
３１  凸部
【図１】
2014119820.tif 000003
【図２】
2014119820.tif 000004
【図３】
2014119820.tif 000005
【図４】
2014119820.tif 000006
【図５】
2014119820.tif 000007
【図６】
2014119820.tif 000008
【図７】
2014119820.tif 000009
【図８】
2014119820.tif 000010
【図９】
2014119820.tif 000011
【図１０】
2014119820.tif 000012
【図１１】
2014119820.tif 000013
【図１２】
2014119820.tif 000014
【図１３】
2014119820.tif 000015
【図１４】
2014119820.tif 000016
【図１５】
2014119820.tif 000017
【図１６】
2014119820.tif 000018
【図１７】
2014119820.tif 000019